(57)【要約】【課題】ディスプレイを保護し、ディスプレイ設置空間の環境変動を低減すると共に断熱性を確保可能な表示装置を提供すること。【解決手段】周縁に配設されるスペーサを挟んで重ねられる複数の透明基板と、前記複数の透明基板の間の中空層に設けられるディスプレイと、前記ディスプレイと前記中空層の外部に設けられている外部機器との接続を中継するコネクタとを有し、前記コネクタは、前記ディスプレイ及び前記外部機器に接続される接続端子群を収容するハウジングと、前記ハウジングから突出して前記スペーサに連結されるジョイント部とを有する表示装置。【選択図】図７
2015072307.tif 000002
【特許請求の範囲】
【請求項１】
周縁に配設されるスペーサを挟んで重ねられる複数の透明基板と、
前記複数の透明基板の間の中空層に設けられるディスプレイと、
前記ディスプレイと前記中空層の外部に設けられている外部機器との接続を中継するコネクタとを有し、
前記コネクタは、
前記ディスプレイ及び前記外部機器に接続される接続端子を収容するハウジングと、
前記ハウジングから突出して前記スペーサに連結されるジョイント部とを有する
ことを特徴とする表示装置。
【請求項２】
前記ジョイント部は、前記スペーサに設けられている連結孔に嵌合する
ことを特徴とする請求項１に記載の表示装置。
【請求項３】
前記中空層は、外周がシール層で覆われている
ことを特徴とする請求項１又は２に記載の表示装置。
【請求項４】
前記シール層は、１次シール材と２次シール材とが積層されている
ことを特徴とする請求項３に記載の表示装置。
【請求項５】
前記中空層は、前記コネクタ、前記スペーサ及び前記シール層により密閉されている
ことを特徴とする請求項３又は４に記載の表示装置。
【請求項６】
前記ディスプレイは、透過性を有する透明ディスプレイである
ことを特徴とする請求項１から５の何れか一項に記載の表示装置。
【請求項７】
周縁に配設されるスペーサを挟んで重ねられる複数の透明基板の間の中空層に設けられるディスプレイと、前記中空層の外部に設けられる外部機器との接続を中継するコネクタであって、
前記ディスプレイ及び前記外部機器に接続される接続端子を収容するハウジングと、
前記ハウジングからそれぞれ異なる方向に突出したジョイント部であって前記スペーサに連結される２つのジョイント部とを有する
ことを特徴とするコネクタ。
【請求項８】
前記ジョイント部は、前記スペーサに設けられている連結孔に嵌合する
ことを特徴とする請求項６に記載のコネクタ。
【請求項９】
前記スペーサ及び外周を覆うシール層とで前記中空層を密閉する
ことを特徴とする請求項７又は８に記載のコネクタ。
【発明の詳細な説明】
【技術分野】
【０００１】
本発明は、表示装置及びコネクタに関する。
【背景技術】
【０００２】
静止画、動画等の画像を表示するディスプレイは、従来から屋内外を問わず様々な場所で使用されている。例えば特許文献１には、ショーケースの前面のガラスドアに設けられて商品等の宣伝広告を行うディスプレイが開示されている。また、例えば特許文献２には、電車内の中吊り広告の代わりに設置される垂下式のディスプレイが開示されている。
【先行技術文献】
【特許文献】
【０００３】
【特許文献１】特開２００３−１２５９０４号公報
【特許文献２】特開２００６−２７６４０２号公報
【発明の概要】
【発明が解決しようとする課題】
【０００４】
しかし、上記したショーケースや電車等に設けられるディスプレイは、消費者や乗客等との接触や温湿度等の環境変動の影響により故障する可能性がある。そこで、例えば間隔を空けて重ねられる複数の透明基板の間の中空層にディスプレイを設け、接触による衝撃や環境変動からディスプレイを保護することが考えられる。さらに、中空層にディスプレイが設けられた複層パネルを、例えば鉄道車両の窓等として用いる場合には、中空層に不活性ガスを封入することで断熱性を確保することも考えられる。
【０００５】
しかしながら、透明基板の間の中空層に設けられるディスプレイと、中空層の外部からディスプレイの駆動及び制御等を行う電源や外部機器とを接続するケーブル等を設けるために隙間が必要となる。したがって、ディスプレイが設置される中空層を密閉して環境変動を低減するのは困難な場合がある。
【０００６】
本発明は上記に鑑みてなされたものであって、ディスプレイを保護し、ディスプレイ設置空間の環境変動を低減すると共に断熱性を確保可能な表示装置を提供することを目的とする。
【課題を解決するための手段】
【０００７】
本発明の一態様の表示装置によれば、周縁に配設されるスペーサを挟んで重ねられる複数の透明基板と、前記複数の透明基板の間の中空層に設けられるディスプレイと、前記ディスプレイと前記中空層の外部に設けられている外部機器との接続を中継するコネクタとを有し、前記コネクタは、前記ディスプレイ及び前記外部機器に接続される接続端子群を収容するハウジングと、前記ハウジングから突出して前記スペーサに連結されるジョイント部とを有する。
【発明の効果】
【０００８】
本発明の実施形態によれば、ディスプレイを保護し、ディスプレイ設置空間の環境変動を低減すると共に断熱性を確保可能な表示装置を提供できる。
【図面の簡単な説明】
【０００９】
【図１】実施形態に係る表示装置を例示する図である。
【図２】実施形態に係る表示装置のＹＺ断面を例示する図である。
【図３】実施形態に係る表示装置のＹＺ断面を拡大して例示する図である。
【図４】実施形態に係る表示装置のＸＺ断面を例示する図である。
【図５】実施形態に係るコネクタを例示する図である。
【図６】実施形態に係るコネクタがスペーサと連結する様子を示す図である。
【図７】実施形態に係るコネクタの他の構成を例示する図である。
【発明を実施するための形態】
【００１０】
以下、図面を参照して発明を実施するための形態について説明する。各図面において、同一構成部分には同一符号を付し、重複した説明を省略する場合がある。
【００１１】
（表示装置の構成）
実施形態に係る表示装置１００の構成について図面に基づいて説明する。図１は、表示装置１００を例示する斜視図であり、図２は、図１のＡ−Ａ'断面を例示する概略図である。なお、以下に示す図面において、Ｘ方向は表示装置１００の幅方向、Ｙ方向は奥行き方向、Ｚ方向は高さ方向を示している。
【００１２】
表示装置１００は、図１及び図２に示す様に、透明基板１１，１２、ディスプレイ２１、スペーサ３０を有する。なお、表示装置１００は、例えば金属材料、樹脂材料等により形成され、透明基板１１，１２の周縁部分を挟み込んで固定する枠を有してもよい。
【００１３】
（透明基板）
透明基板１１と透明基板１２とは、周縁に設けられるスペーサ３０を挟んで対向配置されている。透明基板１１，１２は、例えばソーダライムガラス、アルミノシリケートガラス、アルミノボロシリケートガラス、無アルカリガラス等の無機ガラス、樹脂製の有機ガラス等であるが、これらに限られない。また、透明基板１１，１２の厚さは、例えば２〜６ｍｍ程度である。
【００１４】
また、透明基板１１，１２は、無機ガラスの場合には例えば化学強化処理又は物理強化処理等の表面強化処理が施されていてもよい。この様な表面強化処理が施されている場合には、透明基板１１，１２の強度が向上するため、透明基板１１，１２はより薄くてもよい。
【００１５】
（中空層）
図２に示す様に、透明基板１１と透明基板１２との間には、中空層２５が形成されている。中空層２５は、例えばＹ方向の間隔が６〜２５ｍｍであり、周囲がスペーサ３０等により囲まれて密閉され、外部環境とは遮断されている。中空層２５には、例えば空気又は不活性ガス等が充填されている。
【００１６】
（ディスプレイ）
ディスプレイ２１は、表示面が透明基板１１の中空層２５側の面に接合されている。ディスプレイ２１の表示面が透明基板１１に密接されることで、外部からディスプレイ２１に表示される画像をより鮮明に見ることが可能になる。
【００１７】
ディスプレイ２１は、表示装置１００の中空層２５に設けられて透明基板１１，１２に保護され、外部の人や物に直接接触することがない。また、表示装置１００に人や物が接触しても、透明基板１１，１２によりディスプレイ２１への衝撃が緩和される。したがって、ディスプレイ２１が破損、故障する可能性が低減されている。
【００１８】
ディスプレイ２１は、例えば液晶ディスプレイ装置、有機ＥＬディスプレイ装置、プラズマディスプレイ装置等である。また、ディスプレイ２１は、透過性を有する透明ディスプレイであってもよい。ディスプレイ２１が透明ディスプレイの場合には、例えば透明基板１１側から、ディスプレイ２１に表示される画像越しに、ディスプレイ２１の背後を透けて見ることが可能になる。この場合には、例えば表示装置１００をショーケース前面のガラスドア等に設け、ショーケース内部の商品に重なって見える様にディスプレイ２１に商品の宣伝広告を行う画像等を表示させることで、消費者の購買意欲を高めることが可能になる。
【００１９】
ディスプレイ２１は、例えば商品等の宣伝広告、各種案内等の静止画、動画等の画像を表示する。ディスプレイ２１が表示する画像は、例えば不図示の記憶装置に記憶されている画像、あるいは表示装置１００の外部に設けられている外部機器等から送信される画像である。
【００２０】
なお、ディスプレイ２１は、透明基板１１の略全面に設けられてもよく、あるいは透明基板１１の一部に設けられてもよい。また、表示装置１００は、透明基板１１に設けられるディスプレイ２１に加えて、例えば透明基板１２の中空層２５側の面に表示面が接合されるディスプレイを有してもよい。表示装置１００は、透明基板１１，１２にそれぞれ設けられるディスプレイにより、両面に画像を表示することが可能になる。さらに、表示装置１００は、透明基板１１，１２にそれぞれ複数のディスプレイを有してもよい。
【００２１】
（透明基板とディスプレイとの接合）
ディスプレイ２１は、例えば透明接着剤又は透明粘着剤（以下、総称して透明接着剤という）、透明接着テープ又は透明粘着テープ等により、透明基板１１に貼り付けられている。透明接着剤としては、例えば透明樹脂や、液状の硬化性樹脂組成物等が用いられる。
【００２２】
例えば硬化性樹脂組成物を用いる場合には、まず透明基板１１の中空層２５側の面に未硬化の樹脂組成物を塗布する。次に、塗布された樹脂組成物の上にディスプレイ２１を配置した後、樹脂組成物を硬化させることで、透明基板１１とディスプレイ２１とが接合される。
【００２３】
透明接着剤は、２５℃におけるせん断弾性率が、例えば１０３Ｐａ〜１０７Ｐａであることが好ましく、１０４Ｐａ〜１０６Ｐａであることがより好ましい。特に、透明接着剤の２５℃におけるせん断弾性率が１０４Ｐａ〜１０５Ｐａである場合には、透明基板１１及びディスプレイ２１との接合の際に生じ得る空隙を比較的容易に消失させることができる。
【００２４】
透明接着剤の２５℃におけるせん断弾性率が１０３Ｐａ以上の場合には、塗布された透明接着剤の形状が維持される。したがって、塗布された透明接着剤の厚さが比較的厚い場合であっても、透明接着剤全体で厚さが均一に維持され、透明基板１１とディスプレイ２１との接合時に、ディスプレイ２１と透明接着剤との界面に空隙が発生し難くなる。
【００２５】
また、透明接着剤は、２５℃におけるせん断弾性率が１０４Ｐａ以上で変形が抑制され、２５℃におけるせん断弾性率が１０７Ｐａ以下で透明基板１１とディスプレイ２１との接合密着性が向上する。
【００２６】
透明接着剤層の厚さは、例えば０．０３ｍｍ〜２ｍｍが好ましく、０．１ｍｍ〜０．８ｍｍがより好ましい。透明接着剤の厚さが０．０３ｍｍ以上であれば、透明基板１１の外側から外力等が加えられた際に、透明接着剤が外力による衝撃を十分に低減し、ディスプレイ２１を保護できる。また、透明基板１１とディスプレイ２１との間に、透明接着剤の厚さ未満の寸法の異物が混入しても、透明接着剤の厚さが変化しないため、異物混入による光透過性能への影響が抑制される。また、ディスプレイ２１の表示画面の視認性が低下するため、透明接着剤層の厚さは２ｍｍ以下であることが好ましい。
【００２７】
なお、透明接着剤は、単一の層としてではなく、平面視中央部分の層状部と、層状部の周囲を取り囲む堰状部とで構成されてもよい。堰状部は、例えば透明基板１１上で、液状の硬化性樹脂組成物から透明接着剤を形成する際に、硬化性樹脂組成物が所定の範囲を超えて、外方に広がることを抑制する（すなわち、層状部用の液状の硬化性樹脂組成物の流出を堰き止める）。堰状部は、中央部分の層状部を構成する硬化性樹脂組成物とは異なる硬化性樹脂組成物で形成されてもよい。
【００２８】
（機能膜）
図２に示す様に、透明基板１１の中空層２５とは反対側の面には、機能膜として反射防止膜４０が設けられている。反射防止膜４０は、例えばシリケートや金属酸化物の薄膜がスパッタリング法、蒸着法、湿式コーティング法等の方法にて透明基板１１の外側表面に直接形成される。あるいは、反射防止膜４０は、フッ素樹脂などの低屈折率の樹脂薄膜を、粘着層などを介して透明基板１１の外側表面に張り合わせることで形成される。特に最外層にフッ素樹脂を有する反射防止膜４０は、透明基板に防汚性能や易清浄性を付与できるため好ましい。この様な反射防止膜４０によって反射が抑制され、外部からディスプレイ２１に表示される画像をより鮮明に見ることが可能になる。
【００２９】
また、例えば商品を冷蔵するショーケース前面のガラスドア等、透明基板１１側と透明基板１２側とに温度差がある場所に表示装置１００が設置される場合には、透明基板１１，１２の少なくとも一方に機能膜として断熱効果を高める低放射膜が設けられてもよい。低放射膜は、例えば銀を主成分とする膜が亜鉛を主成分とする酸化物薄膜で挟まれた積層膜（亜鉛酸化物／銀／亜鉛酸化物）等、薄膜が積層された積層膜が用いられる。また、低放射膜の放射率を下げるために、例えば銀を主成分とする膜を２層含む積層膜（亜鉛酸化物／銀／亜鉛酸化物／銀／亜鉛酸化物）にしてもよい。この様な銀を主成分とする膜が含まれる積層膜は放射率が低いため、表示装置１００の断熱性能が向上する。また、この様な積層膜は透過率が高いため、例えばディスプレイ２１として透明ディスプレイが設けられる場合等には、ディスプレイ２１側から表示装置１００背後にある商品等の視認性が向上する。
【００３０】
（スペーサ）
図３は、図１に例示する表示装置１００のＡ−Ａ'断面の一端側の拡大図である。
【００３１】
図３に示す様に、スペーサ３０は、例えばアルミニウムを主材料とする金属材料で内部に中空部３１を有し、シリカゲル等の乾燥剤３２を中空部３１に収納している。また、スペーサ３０の中空層２５側の面には貫通孔３３が設けられ、貫通孔３３を通じて中空層２５に存在する水分が乾燥剤３２に吸収される。
【００３２】
透明基板１１と透明基板１２との間の中空層２５は、周囲がスペーサ３０により囲まれ、一次シール材３５、二次シール材３６が積層されたシール層によって外周が覆われている。
【００３３】
一次シール材３５としては、例えば架橋処理されていないブチルゴム、もしくは、ポリイソブチレンをベースとし、着色と補強を目的としたカーボンブラック等のフィラーが含有されたもの等が用いられる。二次シール材３６としては、例えばポリサルファイド、シリコーン、ウレタン等の硬化性エラストマをベースとし、透明基板との接着性を発現するために適当な変性を加えられたもの等が使用される。
【００３４】
なお、スペーサ３０は、図３に示す態様の他に、乾燥剤が練り込まれた樹脂製スペーサであってもよい。樹脂製スペーサは、密閉性及び透明基板との密着性が良好であり好ましい。また、スペーサとしては、複層パネルの全周のうち一部が樹脂製スペーサで、その他の部分に１次、２次シールが用いられた図３に例示するスペーサであってもよい。
【００３５】
図４は、図２に例示する表示装置１００のＢ−Ｂ'断面の一部を例示する図である。
【００３６】
図４に示す様に、透明基板１１と透明基板１２との間の中空層２５は、複数のスペーサ３０で囲われ、さらに一次シール材３５及び二次シール材３６により密閉されている。
【００３７】
スペーサ３０は、中空部３１、中空部３１に収容される乾燥剤３２、貫通孔３３、両端部に連結孔３４を有する。複数のスペーサ３０は、それぞれコネクタ５０のジョイント部５２，５３又はコーナージョイント６０のジョイント部６２，６３が連結孔３４に挿入され、中空層２５を囲む様に連結されている。
【００３８】
スペーサ３０の連結孔３４には、コネクタ５０のジョイント部５２，５３又はコーナージョイント６０のジョイント部６２，６３が挿入され、連結孔３４の開口部は、コネクタ５０のハウジング５１の側面又はコーナージョイント６０の本体６１の側面に密接する。さらに、スペーサ３０が設けられる周縁部分は、一次シール材３５及び二次シール材３６によりシールされることで、透明基板１１と透明基板１２との間の中空層２５は密閉され、表示装置１００の外部環境からは遮断されている。
【００３９】
（コネクタ）
図５は、実施形態に係るコネクタ５０の斜視図である。図５（ａ）は、コネクタ５０の前面からの斜視図、図５（ｂ）は、コネクタ５０の背面からの斜視図である。
【００４０】
コネクタ５０は、表示装置１００の中空層２５に設けられるディスプレイ２１と、表示装置１００の外部に設けられる外部機器との接続を中継する。外部機器は、コネクタ５０を介してディスプレイ２１と接続し、例えばディスプレイ２１に画像データ等を送信して画像を表示させたり、電力の供給等を行う。
【００４１】
図５に示す態様では、コネクタ５０は、ハウジング５１、ジョイント部５２，５３、ディスプレイ端子５４、外部端子５５を有する。ハウジング５１は、接続端子としてのディスプレイ２１に接続されるディスプレイ端子５４及び外部機器に接続される外部端子５５を収容する。ジョイント部５２，５３は、ハウジング５１の両側面からそれぞれ反対方向に突出してスペーサ３０の連結孔３４に挿入される。ディスプレイ端子５４は、例えばディスプレイ２１に設けられているケーブルのコネクタに接続される。また、外部端子５５は、例えば外部機器に設けられているケーブルのコネクタに接続される。
【００４２】
コネクタ５０のハウジング５１、ディスプレイ端子５４及び外部端子５５は、ディスプレイ２１と外部機器を接続可能であればよく、例えばＶＧＡ（Video Graphics Array）、ＤＶＩ（Digital Visual Interface）、ＨＤＭＩ（High-Definition Multimedia Interface：登録商標）、ＤｉｓＰｌａｙＰｏｒｔ、ＵＳＢ（Universal Serial Bus）等のコネクタに対応する形状を有する。
【００４３】
コネクタ５０のジョイント部５２，５３は、スペーサ３０の連結孔３４に嵌合し、スペーサ３０とコネクタ５０とを固定し、スペーサ３０の連結孔３４の開口部とコネクタ５０のハウジング５１の側面とを密着させる。なお、ジョイント部５２，５３は、スペーサ３０の連結孔３４に挿入可能であればよく、本実施形態において例示する形状に限られない。
【００４４】
図６は、コネクタ５０がスペーサ３０と連結される様子を例示する図である。
【００４５】
図６に示す様に、コネクタ５０は、ハウジング５１の側面から突出するジョイント部５２，５３が、それぞれスペーサ３０の連結孔３４に挿入されることで、スペーサ３０と連結される。スペーサ３０とコネクタ５０とが連結されると、スペーサ３０の連結孔３４の開口部とコネクタ５０のハウジング５１の側面とが密着される。また、スペーサ３０とコーナージョイント６０とも同様な構成により連結され、スペーサ３０の連結孔３４の開口部とコーナージョイント６０の本体６１の側面とが密着されている。
【００４６】
さらに、コネクタ５０及びスペーサ３０が設けられる周縁部分は、一次シール材３５及び二次シール材３６によりシールされている。したがって、透明基板１１と透明基板１２との間の中空層２５は、スペーサ３０、コネクタ５０、コーナージョイント６０、一次シール材３５及び二次シール材３６により密閉され、表示装置１００の外部環境からは遮断されている。
【００４７】
なお、コネクタ５０の位置は図４又は図５に例示される位置とは異なる位置に設けられてもよく、見栄え等を考慮した上でスペーサ３０のあらゆる箇所に設置可能である。例えば、図７に示す様に、コネクタ５０を中空層２５の角部に設け、コネクタ５０がコーナージョイント機能を備える様に構成してもよい。また、コネクタ５０は複数設けられてもよい。
【００４８】
また、コネクタ５０のハウジング５１の厚さは、中空層２５の機密性を保つために、スペーサ３０の厚さと一致していることが好ましい。
【００４９】
さらに、コネクタ５０のディスプレイ端子５４と外部端子５５とが配線により接続され、外部端子５５が表示装置１００の外部に設けられてもよい。この場合には、中空層２５の機密性を保つため、ディスプレイ端子５４と外部端子５５との配線は、二次シール材３６の中に設けられることが好ましい。
【００５０】
この様に、表示装置１００においてディスプレイ２１が設けられる中空層２５は、密閉されて外部環境から遮断されるため、外部から塵埃が侵入することがない。また、中空層２５は、外部の温湿度等が変化してもその影響を受けにくく、スペーサ３０が有する乾燥剤３２により湿度が低く保たれているため、温湿度の変化により内部が結露する様なことがない。したがって、表示装置１００の中空層２５に設けられているディスプレイ２１に塵埃や水滴等が付着することがなく、表示装置１００がこれらに起因して故障することがない。また、表示装置１００の中空層２５に封入されたガスの効果による断熱性が長期間に渡って維持される。
【００５１】
以上で説明した様に、本実施形態に係る表示装置１００は、ディスプレイ２１が透明基板１１，１２の間の中空層２５に設けられているため、表示装置１００に人や物が接触しても、透明基板１１，１２によりディスプレイ２１への衝撃が緩和される。また、表示装置１００においてディスプレイ２１が設けられる中空層２５は、スペーサ３０、コネクタ５０等により密閉されるため、外部環境の変動による影響が低減されている。したがって、本実施形態に係る表示装置１００は、衝撃や環境変動に対する耐性に優れ、長期に渡って使用することが可能になる。
【００５２】
以上、実施形態に係る表示装置及びコネクタについて説明したが、本発明は上記実施形態に限定されるものではなく、本発明の範囲内で種々の変形及び改良が可能である。
【符号の説明】
【００５３】
１１，１２  透明基板
２１  ディスプレイ
２５  中空層
３０  スペーサ
３０  陳列室
３５  １次シール材
３６  ２次シール材
５０  コネクタ
５１  ハウジング
５２，５３  ジョイント部
１００  表示装置
【図１】
2015072307.tif 000003
【図２】
2015072307.tif 000004
【図３】
2015072307.tif 000005
【図４】
2015072307.tif 000006
【図５】
2015072307.tif 000007
【図６】
2015072307.tif 000008
【図７】
2015072307.tif 000009